(57)【要約】      （修正有）【課題】通常の文章記入用ノートのように文字が書きやすく、方眼紙のようにグラフや図形の作成が容易であり、スケッチブックのようにイラストなどの描画もできる、いずれの用途にも使用可能な記入補助マーク表示物を提供する。【解決手段】規則的な配置で十字の要素を持つトンボマーク３３、Ｘ字の要素を持つトンボマークＮＮ、点の形状要素を持つマークの内２種類以上をシート面上あるいは平面上１１の一部あるいは総てに表示させ、それぞれの記入補助マークの表示色濃度または線幅を必要に応じて変える。【選択図】図１
0003200438.tif 000002
【実用新案登録請求の範囲】
【請求項１】
シート面上あるいは平面上に縦、横、斜めの線あるいは点を基本図形とする記入補助マークが表示されたシートであって連続した罫線あるいは点線・破線上のミシン罫線ではなく、規則的な配置で十字の要素を持つトンボマーク、Ｘ字の要素を持つトンボマーク、点の形状要素を持つマークの内２種類以上がシート面上あるいは平面上の一部あるいは総てに表示されていることを特徴とする記入補助マークの表示物。
【考案の詳細な説明】
【技術分野】
【０００１】  本考案は、イラスト、図形などの描画及び文章記入のいずれの用途にも適した記入補助マーク表示物に関するものである。
【背景技術】
【０００２】  従来の一般的な記入補助マークとしてはノートに代表される横罫線（非特許文献１）、縦罫線（非特許文献２）、方眼罫線（非特許文献３）が知られている。それぞれの罫線の特長を生かした使用では容易に記入することが可能であるが、その他の使用用途（例えば横罫線で立体的な図形を描くなど）では記入しにくいという欠点を有する。記入補助マークの全くない無地スケッチブック（非特許文献４）などはイラストや図形の描画はしやすいものの、文章の記入が一定でなく読み返し難い。そのため、それぞれの使用用途に合わせた記入補助マークを用意することとなり、例えばノートなどの形状では数冊所持しなくてはならならず、経済的にも携帯するにも不便であった。
一方、これらの欠点に対処した記入補助マークも提案されており、例えば、特許文献１には、縦罫線または横罫線を実線で表示し、その他の縦、横の補助線は実線より細い線、薄い線、あるいは／及び点線で表示することで実線方向への文字が書きやすく図形もの簡単に書くことができるようにした罫線付表示面が開示されている。特許文献２においては、縦、横の罫線をドットで表示し、縦罫と横罫のドット間隔を替えることで文章の記入及び図形の描画がしやすくされたノート紙面の開示がされている。
【先行技術文献】
【非特許文献】
【０００３】
【非特許文献１】「ＫＯＫＵＹＯ２０１５ステーショナリー編」コクヨ株式会社６４３−６３５頁
【非特許文献２】「ＫＯＫＵＹＯ２０１５ステーショナリー編」コクヨ株式会社６５０頁（タテ罫）
【非特許文献３】「ＫＯＫＵＹＯ２１０５ステーショナリー編」コクヨ株式会社６５０頁（方眼罫）
【非特許文献４】「２０１５マルマン総合カタログ」マルマン株式会社７３頁
【特許文献】
【０００４】
【特許文献１】特開２０１１−０２５５２９
【特許文献２】実用新案登録第３１５６８８０号
【考案の概要】
【考案が解決しようとする課題】
【０００５】  しかしながら、先に記載した特許文献１では線の縦及び横に数種類の罫線が織りなす表示は線の太さ及び濃さの強弱はあるものの実際のところほぼ方眼罫線と変わらない表示である。そのためマス目に合わせて文字の記入をしてしまい易く使用者独自の文字間隔の調節がし難い。またイラストなどの描画には複数の縦及び横の罫線が多く実線も目立つため描画されたものの視認性を阻害し、本件の目的とする文字や図形、グラフ、イラスト等が記入し易く、かつ視認性が良好な記入補助マークとは大きく異なる。特許文献２においてもドットを縦、横の罫線として使用することで視認性の低下を和らげ描画されたイラストなどは比較的認識しやすいものの、方眼罫線と変わらない細かいマス目で構成されているため特許文献１と同様に使用者独自の文字間隔の調節がし難く、記入のし易さの点で劣る。【０００６】  本考案は、文章が書きやすく、図形などが容易に描け、且つイラストなどを自由に描いても視認性を妨げない記入補助マークの表示物の提供を目的とする。
【課題を解決するための手段】
【０００７】  前記課題を解決するために、請求項１の考案にかかるシート面上あるいは平面上に縦、横、斜めの線あるいは点を基本図形とする記入補助マークが表示されたシートであって連続した罫線あるいは点線・破線状のミシン罫線ではなく、規則的な配置で十字の要素を持つトンボマーク、Ｘ字の要素を持つトンボマーク、点の形状要素を持つマークの内の２種類以上がシート面上あるいは平面上の一部あるいは総てに表示されていることを特徴とする記入補助マーク表示物である。【０００８】  本考案の記入補助マークの一例としては、同じ線の太さで濃色と淡色の２種類の十字の要素を持つトンボマークと、先の濃色の十字の要素を持つトンボマークと同じ色で、それよりも太いＸ字の要素を持つトンボマークで表示されそれぞれの記入補助マークが識別しやすい。【０００９】  先の淡色十字の要素を持つトンボマークは濃色十字の要素を持つトンボマークで四隅を囲まれた最小範囲の中心に位置させることによって、文章の段落や行間が細かく設定でき、図形も詳細に描くことができる。また、連続した罫線とは違いイラストなどの描画の視認性を阻害し難い特徴を有する。【００１０】  上述したＸ字のトンボマークは規則的に濃色十字の要素を持つトンボマーク列及び行に配置されている。他十字の要素を持つトンボマークよりも線が太いため目印とすることでシート面上あるいは平面上の位置を把握しやすい。
【考案の効果】
【００１１】  請求項１の考案にあっては、規則的な配置で十字の要素を持つトンボマーク、Ｘ字の要素を持つトンボマーク、点の形状要素を持つマークの内の２種類以上がシート面上あるいは平面上の一部あるいは総てに表示されているため、シート面上あるいは平面上の形状を問わず記入補助マークが表示されているいずれの位置からも自由に書き始めることが可能である。【００１２】  特に請求項１の考案にあっては、十字の要素を持つトンボマーク及びＸ字の要素を持つトンボマークは連続した罫線あるいは点線・破線状のミシン罫線ではないため、記載された文章、描かれた図形やイラストなどの視認性を妨げ難い。また、記入補助マークを目印とすることで文章や図形を整理しながら記入しやすい特徴を有する。【００１３】  本考案の記入補助マークである十字の要素を持つトンボマーク及びＸ字の要素を持つトンボマークあるいは点の形状要素を持つマークを有効に利用することで、文章、図形、イラストなど用途別に複数の記入シート面または平面を所持する必要がなく、さらに文字や図形、グラフ、イラスト等が記入し易く、かつ視認性の良い物を提供することができる。
【図面の簡単な説明】
【００１４】
【図１】本考案の一実施形態を示し、実施例の形状における平面（Ａ）は全体平面図、円内の（Ｂ）は一部拡大図である。
【図２】本考案の記入補助マークの例である。
【考案を実施するための最良の形態】
【００１５】  本考案に係わる記入シート面及び平面に代表されるノートの形状に基づき、図面を用いて説明する。図１（Ａ）、（Ｂ）に示すように、本実施例に係わる平面図１０は平面上１１に、十字のトンボマーク４４及び３３が表示されている。十字のトンボマーク４４は３３と比較して約５０％の透明度となる。またＸ字のトンボマークは十字のトンボマーク４４及び３３とよりも太い線で構成され表示されている。十字のトンボマーク３３とＸ字のトンボマークＮＮは同じ濃度で表示されている。
なお、本考案のシート面上及び平面上は図面に示した実施例に使用した形態（ノート）に限定されるものではなく、本考案の趣旨を逸脱しない範囲内において種々変更を加え得ることは可能である。また、シート面及び平面の素材は記入補助マークの表示が可能であり、本考案の趣旨を逸脱しない範囲において自由に選択することが可能である。
【実施例１】
【００１６】  以下に、図面を用いて本実施例について詳細を説明する。
図１は、本考案の一実施形態を示し、実施例の形状における平面（Ａ）は全体平面図、円内の（Ｂ）は一部拡大図である。
図１は、（Ａ）に示すように平面１０の平面上１１はＡ５サイズ（横１４８ｍｍＸ縦２１０ｍｍ）の紙面例である。
十字のトンボマーク３３、４４はそれぞれ上下左右に５ｍｍ間隔で並ぶ（３３：Ｋ１、Ｋ２及び４４：Ｋ３、Ｋ４）。またＸ字のトンボマークＮＮは十字のトンボマーク３３の上下左右５つごとに配置されている。十字のトンボマーク３３と十字トンボマーク４４の上下左右の間隔はＫ５、Ｋ６が示すように２．５ｍｍの間隔が空いている。
十字のトンボマーク３３及び４４を構成する縦線Ｔ３、Ｔ４及び横線Ｙ３，Ｙ４は太さ０．０３５ｍｍ、Ｘ字のトンボマークを構成する斜め線Ｎ５、Ｎ６は０．０７ｍｍの太さでそれぞれ形成されている。これらは記入補助マークであり十字のトンボマーク３３又は４４に沿って文章を記入することでマス目に囚われることなく一列に文字を記入することが可能である。
また十字のトンボマーク３３、４４及びＸ字のトンボマークＮＮに沿って直線を引くことで定規がなくてもグラフや図形等の細かな作図か容易に行える。
またイラストなど罫線を必要としない描画の場合でも表示された十字のトンボマーク３３、４４及びＸ字のトンボマークＮＮの表示サイズが小さいため、イラストなど描画したものの視認性の妨げとなり難い。
以上のように、一枚で通常のノートのような文章の記入、方眼紙のような図形やグラフの作図、スケッチブックのようなイラストの描画などが行える特長を持ったシート面上あるいは平面上の一部あるいは総てに表示されていることを特徴とする記入補助マーク表示物を提供することができる。【００１７】  なお、実施例においては、平面サイズをＡ５サイズとして説明したが、十字のトンボマーク３３、４４及びＸ字のトンボマークＮＮの太さ及び十字のトンボマークどうし、並びに十字のトンボマークとＸ字のトンボマークの距離の仕様が同様であればシート面あるいは平面のサイズ、形状、十字のトンボマーク及びＸ字のトンボマークの数は、適宜変更しても本実施例と同様の作用及び効果を得ることが可能である。
また、表示の色については濃色系の色彩でないもので、記載した文字、図形及びイラストの視認性を阻害しなければ、自由に選択することができる。【００１８】加えて図２においては十字のトンボマーク及びＸ字のトンボマークに代わる記入補助マーク基本図形の例であり、基本図形の中心点から上下左右の最長距離が等しいものが好ましく、記入する文字、図形及びイラストなどの視認性を阻害するものでなければ図２に示した図形以外にも適宜使用することが可能である。また、これらの基本図形は２種類以上自由に組み合わせて使用することが可能であり、上述した記入補助マークどうしの距離、色彩の濃淡をシート面上あるいは平面上において適切に表示すれば各種使用目的に応じた作用及び効果を得ることが可能である。
【産業上の利用可能性】
【００１９】  本考案は、文章の記入、グラフや図形の作図及びイラストなどの描画いずれの用途にも使用しうる記入補助マーク表示物に関する。
【符号の説明】
【００２０】１０    平面
１１    平面上
Ｔ３    縦線
Ｙ３    横線
３３    十字のトンボマーク
Ｔ４    縦線（透明度５０％）
Ｙ４    横線（透明度５０％）
４４    十字のトンボマーク（透明度５０％）
Ｎ５    左上がり斜め線
Ｎ６    右上がり斜め線
ＮＮ    Ｘ字のトンボマーク
Ｋ１    十字のトンボマーク及びＸ字のトンボマーク上下間隔
Ｋ２    十字のトンボマーク及びＸ字のトンボマーク左右間隔
Ｋ３    十字のトンボマーク（透明度５０％）上下間隔
Ｋ４    十字のトンボマーク（透明度５０％）左右間隔
Ｋ５    十字のトンボマークと十字のトンボマーク（透明度５０％）上下間隔
Ｋ６    十字のトンボマークと十字のトンボマーク（透明度５０％）左右間隔
Ｍ１    記入補助マーク十字の要素の例  十字トンボマーク
Ｍ２    記入補助マーク十字の要素の例  十字トンボマークとＸ字組合せ
Ｍ３    記入補助マーク十字の要素の例  十字トンボマークと円形組合せ
Ｍ４    記入補助マーク十字の要素の例  十字トンボマークと正四角形組合せ
Ｍ５    記入補助マーク十字の要素の例  十字米印
Ｍ６    記入補助マーク十字の要素の例  十字手裏剣形
Ｍ７    記入補助マーク十字の要素の例  クロス形十字
Ｍ８    記入補助マーク十字の要素の例  花形十字
Ｍ９    記入補助マークＸ字の要素の例  キラキラマーク十字
Ｍ１０  記入補助マークＸ字の要素の例  Ｘ字トンボマーク
Ｍ１１  記入補助マークＸ字の要素の例  Ｘ字トンボマークと十字組合せ
Ｍ１２  記入補助マークＸ字の要素の例  Ｘ字トンボマークと円形組合せ
Ｍ１３  記入補助マークＸ字の要素の例  Ｘ字トンボマークと菱型組合せ
Ｍ１４  記入補助マークＸ字の要素の例  米印
Ｍ１５  記入補助マークＸ字の要素の例  Ｘ字手裏剣型
Ｍ１６  記入補助マークＸ字の要素の例  クロス形Ｘ字
Ｍ１７  記入補助マークＸ字の要素の例  花形Ｘ字
Ｍ１８  記入補助マークＸ字の要素の例  キラキラマークＸ字
Ｍ１９  記入補助マーク点の形状要素の例  正方形
Ｍ２０  記入補助マーク点の形状要素の例  星形
Ｍ２１  記入補助マーク点の形状要素の例  円形
Ｍ２２  記入補助マーク点の形状要素の例  菱形
Ｍ２３  記入補助マーク点の形状要素の例  正三角形
Ｍ２４  記入補助マーク点の形状要素の例  正六角形
Ｍ２５  記入補助マーク点の形状要素の例  ハート形
Ｍ２６  記入補助マーク点の形状要素の例  アスタリスク
Ｍ２７  記入補助マーク点の形状要素の例  逆正三角形
【図１】
0003200438.tif 000003
【図２】
0003200438.tif 000004